(57)【要約】【課題】浴室内の温度が所定の上限温度に達した場合には、空調装置から吹き出される温風を入浴者に直接当たらないように制御する湯水噴出空調装置を提供する。【解決手段】入浴ミストモードが開始されると、入浴者が存在する例えば洗い場側に温風が吹き出されると共にミストが噴出される（ステップＳ１０，２０）。浴室空調装置の制御部は、浴室内の温度が上限設定温度ｔ１以上になると、浴室空調装置のルーバを入浴者が存在しない浴槽側に徐々に傾け、入浴者に温風が当たらないように制御する（ステップＳ３０，４０）。上限設定温度ｔ２以上になると、浴室空調装置による温風の吹き出しを停止する（ステップＳ６０，７０）。その後、浴室内の温度がｔ１未満となると、空調装置の制御部は、浴室空調装置のルーバを入浴者が存在する洗い場側に徐々に傾け、入浴者に温風が当たるように制御する（ステップＳ１００）。【選択図】図１２
2009008278.tif 000002
【特許請求の範囲】
【請求項１】
温風を吹き出して室内を暖房する空調手段と、前記室内に温水または水の少なくとも何れかである湯水を噴出する湯水噴出手段とを備えた湯水噴出空調装置であって、
前記空調手段は、
前記温風の風向を制御する風向切換部と、
前記風向切換部に接続され、前記風向切換部を回動可能に駆動する駆動部と、
前記駆動部に接続され、前記駆動部の動作を制御する制御部とを備え、
前記制御部は、
前記空調手段により前記温風を前記室内に吹き出させると共に、前記湯水噴出手段により前記湯水を前記室内に噴出させ、
前記室内の検出温度に基づき前記風向切換部を制御する
ことを特徴とする湯水噴出空調装置。
【請求項２】
温風を吹き出して室内を暖房する空調手段と、前記室内に温水または水の少なくとも何れかである湯水を噴出する湯水噴出手段とを備えた湯水噴出空調装置であって、
前記空調手段は、
前記温風の風向を制御する風向切換部と、
前記風向切換部に接続され、前記風向切換部を回動可能に駆動する駆動部と、
前記駆動部に接続され、前記駆動部の動作を制御する制御部とを備え、
前記制御部は、
前記空調手段により前記温風を前記室内に吹き出させると共に、前記湯水噴出手段により前記湯水を前記室内に噴出させ、
前記室内の温度が所定温度未満のときに前記室内の入浴者が存在する第１の領域側に前記温風が吹き出される場合であって、前記室内の温度が前記所定温度以上になったときには、
前記駆動部を駆動させて前記入浴者が存在しない第２の領域側に前記風向切換部を回動させるもしくは前記空調手段の運転を停止させる
ことを特徴とする湯水噴出空調装置。
【請求項３】
前記制御部は、
前記室内の温度が前記所定温度未満になったとき、前記駆動部を駆動させて前記風向切換部を前記第１の領域側に回動させると共に、当該回動させた前記風向切換部を介して前記空調手段から前記温風を吹き出させる
ことを特徴とする請求項２に記載の湯水噴出空調装置。
【請求項４】
前記湯水噴出手段および前記空調手段の少なくとも一方は、
運転モードボタンと、予め設定された運転条件により前記運転モードボタンに対応した運転モードを運転させるための設定ボタンとを少なくとも有した操作部と、
前記複数の設定モードを前記運転モードに対応付けて記憶する記憶部とを備え、
前記設定ボタンは、
前記空調手段の前記風向切換部の傾き状態および前記湯水噴出手段に設けられたノズルの傾き状態の少なくとも一方の前記傾き状態を異ならせるようにして設定された複数の設定モードを有し、
前記制御部は、
前記操作部から前記設定モードの前記傾き状態が入力されたときには、前記記憶部に記憶された前記設定モードの前記傾き状態を、前記入力された前記傾き状態に書き換える
ことを特徴とする請求項１乃至３のいずれか一項に記載の湯水噴出空調装置。
【発明の詳細な説明】
【技術分野】
【０００１】
本発明は、温水または水による湯水を噴出して、浴室やシャワー室等の室内の加湿暖房を行う湯水噴出空調装置に関する。
【背景技術】
【０００２】
従来より、温水をミストとして浴室内へ噴出するミスト発生装置と、浴室内の暖房を行う空調装置とを備えたミストサウナ装置等と称される装置が提案されている。このミストサウナ装置では、ノズルからの噴霧による加湿と空調装置の暖房とによって浴室内を中温高湿のミストサウナ状態にして入浴が行われる。
【０００３】
ここで、入浴者の中には、ミストを浴びたい人もいれば、浴びたくない人もおり、ミストサウナ浴の好みは人それぞれである。また、ミストを浴びたい人にとっても、顔等の特定の部位には浴びたくないという人もいる。空調装置から吹き出される温風についても同様で、体に直接温風を受けたい人もいれば、受けたくない人もおり、入浴時の位置や入浴者の体の大きさを考慮して、入浴者のそれぞれの好みに合わせた風向を送風することが望まれる。
【０００４】
そこで、ミストの噴出方向や温風の風向を自由に調節できるようにしたミストサウナ装置が提案されている（特許文献１参照）。特許文献１に開示されるミストサウナ装置は、ミストを噴出するノズルおよび温風の風向を調節するルーバの向きを、入浴者の特定部位を避けるようにして調節し、入浴者に不快感を与えないようにものである。
【０００５】
【特許文献１】特開２００２−３３６１５５号公報
【発明の開示】
【発明が解決しようとする課題】
【０００６】
しかしながら、特許文献１に開示されるミストサウナ装置では、浴室内の温度が噴出許容設定範囲内になると、可動ルーバを入浴者が存在する洗い場に向けるように調整している。そのため、温風の温度が例えば上昇している場合などには、この温風を入浴者が直接受けることで、入浴者が温度変化を直接体感するようになり、入浴者に不快感を与える場合もある。
【０００７】
本願発明は、上記課題に鑑みてなされたものであり、その目的は、浴室内の温度が所定の上限温度に達した場合には、空調装置から吹き出される温風を入浴者に直接当たらないように制御する湯水噴出空調装置を提供することにある。
【課題を解決するための手段】
【０００８】
本願発明の湯水噴出装置は、温風を吹き出して室内を暖房する空調手段と、前記室内に温水または水の少なくとも何れかである湯水を噴出する湯水噴出手段とを備えた湯水噴出空調装置であって、前記空調手段は、前記温風の風向を制御する風向切換部と、前記風向切換部に接続され、前記風向切換部を回動可能に駆動する駆動部と、前記駆動部に接続され、前記駆動部の動作を制御する制御部とを備え、前記制御部は、前記空調手段により前記温風を前記室内に吹き出させると共に、前記湯水噴出手段により前記湯水を前記室内に噴出させ、前記室内の検出温度に基づき前記風向切換部を制御することを特徴とするものである。
【０００９】
また、前記制御部は、前記空調手段により前記温風を前記室内に吹き出させると共に、前記湯水噴出手段により前記湯水を前記室内に噴出させ、前記室内の温度が所定温度未満のときに前記室内の入浴者が存在する第１の領域側に前記温風が吹き出される場合であって、前記室内の温度が前記所定温度以上になったときには、前記駆動部を駆動させて前記入浴者が存在しない第２の領域側に前記風向切換部を回動させるもしくは前記空調手段の運転を停止させることもできる。
【００１０】
本願発明の空調手段では、制御部が室内の温度の変化に応じて温風の風向を調節する。すなわち、室内の温度が第１の上限温度未満のときに入浴者が存在する第１の領域側に温風が吹き出され、室内の温度が第１の上限温度以上になったときには、空調手段から吹き出される温風が第１の領域の入浴者に直接当たらないように、温風の風向を風向切換部により切り換えて制御する。そのため、間接的には室内の温度変化を感知するものの、温風を直接受ける場合と比較して入浴者が感知する温度変化が和らげられる。
【発明の効果】
【００１１】
本願発明によれば、入浴者に対して室内の温度変化を極力感じないような湯水噴出空調装置を提供できる。
【発明を実施するための最良の形態】
【００１２】
［第１の実施の形態］
以下、本発明の実施形態につき、図面を参照して説明する。
【００１３】
＜湯水噴出空調装置＞
図１は、本発明の一実施形態に係る湯水噴出空調装置１の構成を示す図である。この湯水噴出空調装置１は、霧状にした温水または水である湯水（ミスト）を浴室１０１内に噴出する湯水噴出手段の一例であるミスト発生装置２と、浴室１０１の暖房、換気等を行う空調モードを有する空調手段の一例である浴室空調装置３と、ミスト発生装置２、浴室１０１等に温水を給湯するヒートポンプ給湯装置４とを備えている。ミスト発生装置２および浴室空調装置３はそれぞれ浴室１０１の天井に配設され、またヒートポンプ給湯装置４は屋外に配置されている。
【００１４】
ミスト発生装置２は、このミスト発生装置２で使用する温水として給湯装置４より排出される温水が利用される。またミスト発生装置２は、電磁弁ユニット２Ｂと、この電磁弁ユニット２Ｂを駆動する電源部ユニット２Ｃと、ミストＭを噴出するノズルを備えたノズルユニット２Ａとから構成される。電磁弁ユニット２Ｂは、浴室１０１の天井裏に設置される。
【００１５】
電磁弁ユニット２Ｂには、給湯装置４から排出される温水の供給を受けるための給水配管１５ａと、ノズルユニット２Ａに温水を供給するためのノズル配管１５ｂと、温水を排水するためのドレン配管１５ｃとが接続されている。
【００１６】
浴室空調装置３は、その熱源として当該浴室空調装置３に内蔵した電気ヒータが利用される。浴室空調装置３の側面部には排気ダクト９が連結され、屋外に貫通した排気ダクト９の先端部には排気グリル９ａが連結される。
【００１７】
ミスト発生装置２および浴室空調装置３は、ミスト操作部５あるいは主操作部６で操作により選択された運転モードに応じて、浴室空調装置３単独あるいはミスト発生装置２と浴室空調装置３を連動させた制御を行う。
【００１８】
主操作部６は、浴室空調装置３に内蔵された後述する制御部に電気ケーブル６ａで接続されたリモートコントロール装置である。この主操作部６は、洗面脱衣所１０５の壁に取り付けられている。ミスト操作部５は、電源部ユニット２Ｃに内蔵された制御部（図１には図示せず）に電気ケーブル５ａで接続されたリモートコントロール装置である。このミスト操作部５は、浴室１０１の壁に取り付けられている。湯水噴出空調装置１は、空調手段と湯水噴出手段が別体のもののみならず、一体または隣接して設けられている一体的なものも含むものである。
【００１９】
＜浴室空調装置＞
まず、湯水噴出空調装置１を構成する浴室空調装置３について説明する。図２（Ａ）は浴室空調装置３の正面の構成を示す断面図であり、図２（Ｂ）はその側面の構成を示す断面図である。図３は、浴室空調装置３の構成を示す分解斜視図である。図４は、浴室空調装置３におけるルーバ１０６の接続部Ｄ，Ｅの構成を示す部分拡大面である。
【００２０】
浴室空調装置３は、図２〜図４に示すように、ファン部３２と、熱源としてのヒータ部３３とを備える。ファン部３２は、本体ケース３４に取り付けられている。ファン部３２は、回転駆動される多翼のファン３５と、このファン３５を回転駆動するファンモータ３６と、このファンモータ３６が取り付けられると共に、風路を形成するファンケース３７とを備えている。
【００２１】
ファン３５は縦向きに配置されている。ファンケース３７のファン３５の軸方向に沿った下面が開口し、吸込口（吸込部）３８とされている。また、ファンケース３７のファン３５の軸方向とは直交する方向に沿った一の側面が開口し、この開口部に風路切換部３９が備えられている。
【００２２】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口（吹出部）４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００２３】
ルーバ１０６は、風向切換部の一例であり、断面弓状に湾曲した部材であって、ファンケース３７の下面に形成された吹出口４１に回動可能に取り付けられる。このルーバ１０６は、温風ＨＡの風向を調節するための格子状に設けられた羽板１１４と、この羽板１１４によって区画された空気を浴室１０１側に通過させるための複数の開口部１１２とを有する。
【００２４】
ルーバ１０６の長手方向の両端の側面部には、回動軸１２２ａ，１２２ｂが固定して取り付けられる。一方の回動軸１２２ａは、図４（Ａ）に示すように、フロントパネル２６と本体ケース３４との間に設置されたルーバ駆動モータ（駆動部）１１６の軸に連結される。他方の回動軸１２２ｂは、図４（Ｂ）に示すように、本体ケース３４の側壁部に設けられた軸受け部１１０によって回動可能に軸支される。これにより、ルーバ駆動モータ１１６を駆動させることで、回動軸１２２ａ，１２２ｂを支点にしてルーバ１０６が所定方向に回動（揺動）される。
【００２５】
ここで、図２（Ａ）において、ダンパ４０を全閉にしたときのダンパ４０の位置を循環位置Ａとする。ダンパ４０を全閉にすると、排気口４２への風路が遮断され、吸込口３８から吹出口４１へ連通した循環風路４３ａが形成される。
【００２６】
また、図２（Ａ）において、ダンパ４０を全開にしたときのダンパ４０の位置を換気位置Ｂとする。ダンパ４０を全開にすると、吹出口４１への風路が遮断され、吸込口３８から排気口４２へ連通した換気風路４３ｂが形成される。
【００２７】
さらに、図２（Ａ）においてダンパ４０を循環位置と換気位置の中間位置にしたときのダンパ４０の位置を循環換気位置Ｃとする。ダンパ４０を循環位置と換気位置の中間位置にすると、吸込口３８から吹出口４１へ連通した循環風路４３ａと、吸込口３８から排気口４２へ連通した換気風路４３ｂの双方が形成される。
【００２８】
ファンケース３７は、ヒータ部３３の上流側にイオン発生器４４を備える。これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を除去して、カビの発生等を抑えることができる。
【００２９】
ヒータ部３３は、例えば電気ヒータで構成され、上述した吹出口４１に備えられる。ダンパ４０の位置を循環位置Ａにし、ファンモータ３６によりファン３５を回転駆動すると、空気が吸込口３８から吸い込まれ、循環風路４３ａを通り吹出口４１から吹き出す。ヒータ部３３に通電すると、ヒータ部３３が加熱することで吹出口４１を通る空気が温められ、温風ＨＡが吹出口４１から吹き出す。ここで、ヒータ部３３としては例えばＰＴＣ(Positive Temperature Coefficient)ヒータを使用できる。
【００３０】
ファンケース３７の吸込口３８に対応した部分に、温度検出センサ６９が取り付けられている。この温度検出センサ６９は、浴室１０１の温度を検出するためのものである。温度検出センサ６９としては例えばサーミスタが用いられる。
【００３１】
本体ケース３４は、図２に示すように、下面が開口し、ファン部３２の吸込口３８と吹出口４１が露出するようにされている。この本体ケース３４の下面開口部に、フロントパネル２６が取り付けられる。
【００３２】
フロントパネル２６は、本体ケース３４に着脱できるように構成されている。このフロントパネル２６は、ファン部３２の吸込口３８と対向した位置に吸込グリル４５を備えると共に、ファン部３２の吹出口４１および後述するノズルユニット２Ａと対向した位置に吹出グリル４６を備える。なお、フロントパネル２６の吸込グリル４５の裏側に、図示しないフィルタを交換可能に取り付けても良い。
【００３３】
＜ミスト発生装置＞
次に、ミスト発生装置２の構成について説明する。図５（Ａ）はノズルユニット２Ａの下面の構成を示す図であり、図５（Ｂ）はノズルユニット２Ａの正面の構成を示す断面図であり、図５（Ｃ）はノズルユニット２Ａの側面の構成を示す断面図である。ミスト発生装置２は、上述したように、ノズルユニット２Ａと、電磁弁ユニット２Ｂと、電源部ユニット２Ｃとから構成される。
【００３４】
（ノズルユニット）
ノズルユニット２Ａは、図５（Ａ）〜（Ｃ）に示すように、浴室１０１の天井裏面の浴室空調装置３と電磁弁ユニット２Ｂとの間に配設され、ミストＭを噴出するミストノズル１１と、ミストノズル１１に湯水を供給する供給配管１２と、ミストノズル１１を保護するカバー部材５６と、ミストノズル１１を収容する筐体５０と、筐体５０の下面を覆うフロントパネル５４とを有する。
【００３５】
筐体５０は、下端側が開口され、ミストノズル１１および供給配管１２を収容可能な程度の大きさを有する直方体状をなす箱体であって、開口端縁部には外方向に延びるフランジ部５０ａが設けられる。筐体５０の両側壁の下端部には軸受け部１１８が設けられており、水平方向に延びる供給配管１２の両端部がこれらの軸受け部１１８によって回動可能に軸支されている。
【００３６】
ミストノズル１１は、供給配管１２の下部に固着されたノズル本体１１ａと、ノズル本体１１ａの先端部に設けられたノズル吹出部１１ｂとを有する。本例ではノズル本体１１ａは、略直方体状をなし、供給配管１２の長手方向に沿って３個のノズル本体１１ａが等間隔に取り付けられる。ミストノズル１１は、供給配管１２を軸として所定方向に回動可能なように構成される（図５（Ｃ）参照）。
【００３７】
カバー部材５６は、３個のミストノズル１１の配列方向に沿って延びる断面弓状をなす平板部材であって、ミストノズル１１と対向した位置に穿設されたノズル孔５８にノズル吹出部１１ｂを嵌め込むようにして、図示しない連結部材を介してミストノズル１１に着脱自在に取り付けられる。ミストノズル１１のノズル吹出部１１ｂはカバー部材５６のノズル孔５８から浴室１０１側に露出している。
【００３８】
フロントパネル５４は、筐体５０の下面側の開口部を覆うような大きさを有しており、筐体５０（または天井面）のフランジ部５０ａに着脱可能に取り付けられる。このフロントパネル５４には開口部６６が穿設され、ミストノズル１１およびカバー部材５６を筐体に装着したときに、開口部６６からミストノズル１１およびカバー部材５６が浴室１０１側に露出するようになっている。
【００３９】
また、ノズルユニット２Ａは、第１のギア１０２および第２のギア１０３を介してミストノズル１１を所定方向に回動させるためのノズル駆動モータ１００を有する。ノズル駆動モータ１００は、筐体５０の軸受け部１１８の上方の側壁部に設置される。第１のギア１０２は、図５（Ｃ）に示すように、略扇状をなし、ミストノズル１１および供給配管１２に固着されている。また、第２のギア１０３は、平面視円形状をなし、ノズル駆動モータ１００の回動軸１００ａの先端部に第１のギア１０２と噛み合うようにして取り付けられる。これにより、ノズル駆動モータ１００を駆動させることで第１および第２のギア１０２，１０３を介してミストノズル１１が所定方向に回動するようになっている。
【００４０】
（電磁弁ユニット）
次に、電磁弁ユニット２Ｂについて説明する。図６は、電磁弁ユニット２Ｂの構成を示す図である。
電磁弁ユニット２Ｂは、給湯装置４（図１参照）から延びる給水配管１５ａが接続される給湯配管接続部１６ａと、ノズルユニット２Ａに延びるノズル配管１５ｂが接続される供給配管接続部１６ｂと、ドレン配管１５ｃが接続されるドレン配管接続部１６ｃを備える。
【００４１】
電磁弁ユニット２Ｂは、給湯配管接続部１６ａと供給配管接続部１６ｂとの間が供給配管１７で接続され、給湯装置４とノズルユニット２Ａとの間を接続している。また、電磁弁ユニット２Ｂは、供給配管１７から分岐した排水配管１８がドレン配管接続部１６ｃと接続され、給湯装置４とドレン配管１５ｃとの間を接続している。
【００４２】
電磁弁ユニット２Ｂは、排水配管１８との分岐部１７ａより上流側の供給配管１７に、給湯の有無を切り替える電磁弁１９ａを備えると共に、分岐部１７ａより下流側の供給配管１７に、温水または水の供給先をノズルユニット２Ａに切り替える電磁弁１９ｂを備える。
【００４３】
さらに、電磁弁ユニット２Ｂは、温水または水の供給先をドレン配管１５ｃに切り替える電磁弁１９ｃを、排水配管１８に備える。
【００４４】
また、電磁弁ユニット２Ｂは、電磁弁１９ａと分岐部１７ａとの間の供給配管１７に、供給配管１７を流れる温水または水の温度を検出する温度検出センサ２０を備える。この温度検出センサ２０の検出結果に基づき、電磁弁１９ａ，１９ｂ，１９ｃの開閉を制御している。
【００４５】
ここで、供給配管１７に設ける電磁弁１９ａおよび電磁弁１９ｂの設置高さより、排水配管１８に設ける電磁弁１９ｃの設置高さが低くなるように、供給配管１７と排水配管１８の流路を構成することで、流路中に残水が滞留しないようにしている。
【００４６】
図７および図８は、電磁弁ユニット２Ｂの動作を示す図である。ミスト噴出時は、図７（Ａ）に示すように、電磁弁１９ａと電磁弁１９ｂは開き、電磁弁１９ｃは閉じる。これにより、図１に示す給湯装置４から供給された温水ＨＷが、供給配管１７を流れてノズルユニット２Ａに供給され、ノズルユニット２ＡでミストＭが噴出される。
【００４７】
排水時は、図７（Ｂ）に示すように、電磁弁１９ａと電磁弁１９ｃは開き、電磁弁１９ｂは閉じる。これにより、給湯装置４から供給された温水ＨＷが、供給配管１７および排水配管１８を流れてドレン配管１５ｃから排水（ＥＷ）される。
【００４８】
排水の停止時は、まず、図８（Ａ）に示すように、電磁弁１９ｃは開けた状態で、電磁弁１９ａを閉じた後、電磁弁１９ｂを開ける。これにより、供給配管１７のノズルユニット２Ａと接続された側が大気に開放された状態となるので、供給配管１７内の残水ＲＷが排水配管１８へと流れてドレン配管１５ｃから排水される。
【００４９】
そして、残水ＲＷの排水に要する時間に応じて設定された所定時間経過後、図８（Ｂ）に示すように、電磁弁１９ａ、電磁弁１９ｂおよび電磁弁１９ｃの全てを閉じることで、電磁弁１９ａより下流側の流路に残水を滞留させない状態とすることができる。
【００５０】
（ミスト操作部）
図９はミスト操作部５の一例を示す構成図である。ミスト操作部５は、運転モードを選択する操作ボタンとして、入浴ミストモードの運転および運転停止を選択するミスト運転選択ボタン７１を備える。また、暖房モードの開始および運転停止と、暖房の強弱を選択する暖房運転選択ボタン７２を備える。さらに、ミスト操作部５は、入浴ミストモードの運転時に、ミストＭの噴出方向を調節するためのノズルスイングボタン７８および温風ＨＡの風向を調節するためのルーバスイングボタン７３を備える。
【００５１】
また、ミスト操作部５は、ミスト発生装置２および浴室空調装置３の運転状態と、浴室１０１内の状態等を入浴者等に報知する報知手段として、ミスト運転選択ボタン７１と対応させたミスト運転ランプ７５を備える。また、全ての制御を停止させる停止ボタン７４を備える。
【００５２】
また、暖房運転選択ボタン７２と対応させた暖房運転ランプ７６を備える。暖房運転ランプ７６は、選択できる暖房の強弱の度合に応じて、例えば、強暖房運転ランプ７６ａと、弱暖房運転ランプ７６ｂを備える。さらに、湯水噴出空調装置１の何れかで障害が生じた場合にこれを報知するエラーランプ７７を備える。
【００５３】
（主操作部）
図１０は主操作部６の一例を示す構成図である。主操作部６は、運転モードを選択する操作ボタンとして、浴室空調装置３単体での暖房モードの開始および運転停止と、ミスト発生装置２を連動させた入浴ミストモードの運転および運転停止を選択する暖房運転選択ボタン８１を備える。また、換気モードの開始および運転停止を選択する換気運転選択ボタン８２と、乾燥モードの開始および運転停止を選択する乾燥運転選択ボタン８３と、涼風モードの開始および運転停止を選択する涼風運転選択ボタン８４を備える。さらに、所定の換気風量で常時換気を行う２４時間換気モードを選択する２４時間換気運転選択ボタン８５と、全ての制御を停止させる停止ボタン８６を備える。そして、上述した各モードの運転時に、温風ＨＡ等の風向を調節するためのルーバスイングボタン８７と、入浴ミストモード時等にミストＭを噴出させるためのノズルスイングボタン７９を備える。
【００５４】
また、主操作部６は、各操作ボタンで選択された運転モードおよび各運転モードで設定される風量、さらに、浴室１０１内の状態等を入浴者等に報知する報知手段として、暖房運転選択ボタン８１と対応させたミスト運転ランプ８１ａと、選択できる暖房の強弱の度合に応じて、例えば強暖房運転ランプ８１ｂと弱暖房運転ランプ８１ｃを備える。
【００５５】
また、換気運転選択ボタン８２と対応させた換気運転ランプ８２ａと、乾燥運転選択ボタン８３と対応させた乾燥運転ランプ８３ａと、涼風運転選択ボタン８４と対応させた涼風運転ランプ８４ａと、２４時間換気運転選択ボタン８５と対応させた２４時間換気運転ランプ８５ａと、イオン運転ランプ８８を備える。
【００５６】
なお、各運転モードで風量等が選択できる場合は、選択できる風量の強弱等に応じて、各操作ボタンに対応させて複数の運転ランプを備える。さらに、主操作部６は、現在時刻等が表示される表示部８９を備える。
【００５７】
なお、ミスト操作部５の暖房運転選択ボタン７２で選択できる暖房の強弱は、「強」、「弱」の２段階でなく、「強」、「中」、「弱」といった３段階でも良く、それ以上の段階であっても良い。また、選択できる暖房の強弱に応じて、暖房運転ランプ７６として、例えば中暖房運転ランプを備えても良い。同様に、主操作部６の暖房運転選択ボタン８１で選択できる暖房の強弱も、「強」、「中」、「弱」といった３段階でも良く、それ以上の段階であっても良い。また、選択できる暖房の強弱に応じて、暖房運転ランプとして、例えば中暖房運転ランプを備えても良い。
【００５８】
また、暖房運転の強弱の切り替えは、例えばファン風量を切り替えることで行っているが、ファン風量の切り替えだけでなく、ヒータ部３３におけるヒータの発熱量およびヒータの通電時間や、ヒータ通電を入切する温度を変更するようにしたものであっても良い。
【００５９】
＜浴室空調装置およびミスト発生装置の制御系＞
図１１は、浴室空調装置３およびミスト発生装置２の制御系の構成を示している。
【００６０】
浴室空調装置３は、ＣＰＵ(Central Processing Unit)を有する制御部８を備えている。上述した主操作部６は、電気ケーブル６ａを介して、この浴室空調装置３の制御部８に接続されている。この制御部８には、上述したように、吸込口３８に対応して取り付けられた、浴室１０１内の温度を検出するための温度検出センサ６９が接続される。また、制御部８には、ファンモータ３６、ダンパモータ４０ｃ、ヒータ部３３およびイオン発生器４４のそれぞれが接続され、制御部８からファンモータ３６、ダンパモータ４０ｃヒータ部３３およびイオン発生器４４のそれぞれに動作を制御するための制御信号が供給される。さらに、制御部８には、ルーバ駆動モータ１１６が接続され、制御部８から供給される制御信号に基づいてルーバ駆動モータ１１６が駆動され、このルーバ駆動モータ１１６の駆動によりルーバ１０６が回動可能に制御される。また、この制御部８には、浴室照明スイッチ６９Ｂから、このスイッチがオンされたか否かを示す信号が供給される。
【００６１】
また、電源部ユニット２Ｃは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、さらにはノズル駆動モータ１００を駆動するための直流電圧等を生成する。
【００６２】
電磁弁駆動部２Ｂｂは、制御部２Ｂｃによる制御の下、電源部２Ｂａで生成される２４Ｖの直流電圧を用いて、電磁弁ユニット２Ｂを構成する電磁弁１９ａ，１９ｂ，１９ｃを駆動する。この場合、電磁弁１９ａ，１９ｂ，１９ｃは、それぞれ、２４Ｖの直流電圧が印加されることで開状態とされる。
【００６３】
制御部２Ｂｃには、上述したように、電磁弁ユニット２Ｂに取り付けられた温度検出センサ２０が接続される。上述したミスト操作部５は、電気ケーブル５ａを介して、この電源部ユニット２Ｃの制御部２Ｂｃに接続されている。また、制御部２Ｂｃにはミストノズル１１を回動駆動するためのノズル駆動モータ１００が接続される。制御部２Ｂｃから供給される制御信号に基づいてノズル駆動モータ１００が駆動され、ミストノズル１１が回動可能に制御される。
【００６４】
さらに、制御部２Ｂｃには記憶部１３０が接続されている。記憶部１３０は、例えば半導体メモリ等により構成され、電源部ユニット２Ｃを動作させるための各種のプログラムや後述するルーバ１０６やミストノズル１１の位置データ等を記憶保持するものである。
【００６５】
また、浴室空調装置３の制御部８と電源部ユニット２Ｃの制御部２Ｂｃとは互いに接続され、浴室空調装置３とミスト発生装置２との連係動作が可能となされている。
【００６６】
次に、湯水噴出空調装置１の動作について説明する。図１２は、湯水噴出空調装置１の動作を示すフローチャートである。図１３は、図２（Ａ）に示す浴室空調装置３の領域Ｆの拡大図であり、ルーバ１０６の動作を示す図である。図１４および図１５は浴室１０１内の温風ＨＡの風向を示す図である。
【００６７】
ステップＳ１０で、ユーザによってミスト操作部５のミスト運転選択ボタン７１が押されると、入浴ミストモードが開始される。入浴ミストモードの温風発生処理では、浴室空調装置３のヒータ部３３に通電され、このヒータ部３３が加熱されると共に、ファンモータ３６に通電され、ファン３５が回転される。ファン３５の回転により、吸込口３８から吸い込まれた空気は、循環風路４３ａを通り、ヒータ部３３で暖められて、吹出口４１からフロントパネル２６の吹出グリル４６を介して浴室１０１内に吹き出される。また、ミスト発生処理では、給湯装置４から電磁弁ユニット２Ｂの給水配管１５ａに温水が供給され、温度検出センサ２０により湯水の温度が所定の温度に達するまでは、電磁弁１９ｂを閉じたまま電磁弁１９ａと電磁弁１９ｃを開き、排水配管１８を通してドレン配管１５ｃより排出する。所定の温度に達すると、前述の要領で電磁弁１９ｃを閉じ、電磁弁１９ａと電磁弁１９ｂが開となり、供給配管１２に供給される。供給配管１２に供給された温水は、各ミストノズル１１のそれぞれに配給され、浴室１０１内にミストＭとして噴出される。なお、入浴ミストモードの起動時（または各運転モードの待機時）において、ルーバ１０６（羽板の平面方向）およびミストノズル１１（長手方向）は、例えば鉛直方向に設定されているものとする。
【００６８】
ステップＳ２０で浴室空調装置３の制御部８は、図１３（Ａ）に示すように、ルーバ１０６の向きを浴室１０１の洗い場１０１ｂ側（方向Ａ）に回動させる。また、ミスト発生装置２の制御部２Ｂｃは、ミストノズル１１の向きを浴室１０１の洗い場１０１ｂ側に回動させる。本例では、入浴者は、浴室１０１の洗い場１０１ｂ側においてミストサウナ浴を行うものとしており、洗い場１０１ｂが入浴者の存在する第１の領域に相当し、浴槽１０１ａ側が入浴者の存在しない第２の領域に相当する。従って、ステップＳ２０では、図１４に示すように、入浴者にミストＭが噴出されると共に、温風ＨＡが当てられることになる。なお、浴槽１０１ａ側でミストサウナ浴を行う場合には、浴槽１０１ａ側が入浴者の存在する第１の領域に相当し、洗い場１０１ｂ側が入浴者の存在しない第２の領域に相当する。
【００６９】
ステップＳ３０で浴室空調装置３の温度検出センサ６９は、浴室１０１内の温度ｔを検出する。浴室空調装置３の制御部８は、浴室検出センサ６９から供給された温度データに基づいて、検出した浴室１０１の温度ｔが予め設定した上限設定温度（第１の上限温度）ｔ１以上か否かを判断する。ここで、上限設定温度ｔ１としては、例えば３０℃後半〜４０℃の温風ＨＡが直接入浴者に当たる場合には、入浴者は温風ＨＡを不快に感じるおそれがあるため、この温度を上限設定温度ｔの一例とすることができる。浴室１０１の温度ｔが上限設定温度ｔ１以上と判断したときにはステップＳ４０に進み、上限設定温度ｔ１未満の判断したときには浴室１０１内の温度検出を継続する。
【００７０】
ステップＳ４０で浴室空調装置３の制御部８は、図１３（Ｂ）に示すように、ルーバ１０６の向きを洗い場１０１ｂ側（方向Ａ）から浴槽１０１ａ側（方向Ｂ）に所定角度θだけ回動させる。これにより、図１５に示すように、温風ＨＡの風向が入浴者に対する方向から少しずれ、入浴者には温風ＨＡが直接当たらなくなり、ミストＭのみが入浴者に噴出される。回動させる角度θは下記式（１）により算出される。
θ＝（ｔ−ｔ１）／（ｔ２−ｔ１）×θａ・・・（１）
θａは、ルーバ１０６を回動軸１２２を支点として回動させたときの、ルーバ１０６の洗い場１０１ｂから浴槽１０１ａまでの回動（スイング）角度である。上限設定温度（第２の上限温度）ｔ２は、上限設定温度ｔ１よりも高い温度に設定され、浴室１０１内の最適な温度の上限温度を示す値である。
【００７１】
ステップＳ５０で浴室空調装置３の制御部８は、入浴ミストモードの運転時間
が所定時間、例えば１分経過したか否かを判断する。所定時間は、例えば、浴室１０１内の温度上昇データ（浴室１０１内の温度上昇と時間との関係を示すデータ）に基づいて算出することができる。この場合、上限設定温度ｔ２に達するまでの浴室１０１内の到達時間を温度上昇データから予測し、予測した到達時間から上限設定温度ｔ２を算出する。入浴ミストモードの運転時間が所定時間経過したと判断したときにはステップＳ６０に進み、所定時間経過していないと判断したときには所定時間経過するまで時間をカウントする。
【００７２】
ステップＳ６０で浴室空調装置３の温度検出センサ６９は、浴室１０１内の温度を検出する。浴室空調装置３の制御部８は、浴室検出センサ６９から供給された温度データに基づいて、検出した浴室１０１の温度ｔが予め設定した上限設定温度ｔ２以上か否かを判断する。浴室１０１内の温度ｔが上限設定温度ｔ２以上と判断したときにはステップＳ７０に進む。一方、浴室１０１内の温度ｔが上限設定温度ｔ２未満と判断したときにはステップＳ４０に戻り、再度上記（１）式からルーバ１０６の回動角度θを算出し、前回回動させたルーバ１０６の位置を基準として算出した回動角度θだけさらにルーバ１０６を回動させる。このようにして、浴室１０１内の温度が上昇する場合には、浴室１０１内の温度が上限設定温度ｔ２に到達するまでの間、ルーバ１０６は洗い場１０１ｂ側から浴槽１０１ａ側に徐々に回動される。
【００７３】
ステップＳ７０で浴室空調装置３の制御部８は、浴室空調装置３の暖房運転を停止する。つまり、ファンモータ３６およびヒータ部３３の駆動を停止し、浴室１０１内への温風ＨＡの吹き出しを停止する。
【００７４】
ステップＳ８０で浴室空調装置３の温度検出センサ６９は、浴室１０１内の温度を検出する。浴室空調装置３の制御部８は、浴室検出センサ６９から供給された温度データに基づいて、検出した浴室１０１の温度ｔが予め設定した上限設定温度ｔ１未満か否かを判断する。浴室１０１の温度ｔが上限設定温度ｔ１未満と判断したときにはステップＳ７０に進み、上限設定温度ｔ１未満の判断したときには浴室１０１内の温度検出を継続する。
【００７５】
ステップＳ９０で浴室空調装置３の制御部８は、浴室空調装置３の暖房運転を開始する。つまり、ファンモータ３６およびヒータ部３３の駆動し、浴室１０１内への温風ＨＡの吹き出しを再開する。
【００７６】
ステップＳ１００で、浴室空調装置３の制御部８は、ルーバ１０６の向きを洗い場１０１ｂ側に角度θだけ回動させて、温風ＨＡの向きを浴槽１０１ａ側から洗い場１０１ｂ側に徐々に切り換える。ルーバ１０６を回動させる速度は例えばθ／１０（ｄｅｇ/秒）が好ましい。
【００７７】
ステップＳ１１０で、浴室空調装置３の制御部８は、入浴者によってミスト操作部５のミスト運転選択ボタン７１が押されて、入浴ミストモードが停止されたか否かを判断する。入浴ミストモードが停止してないと判断したときには、ステップＳ３０に戻り、再度浴室１０１内の温度の検出（監視）が行われる。一方、入浴ミストモードが停止したと判断したときには入浴ミストモードの一連の動作が終了する。
【００７８】
以上説明したように、本発明の湯水噴出空調装置１では、制御部８が浴室１０１内の温度の変化に応じて温風ＨＡの風向を調節する。すなわち、浴室１０１内の温度が上限設定温度ｔ１以上のときには、浴室空調装置３から吹き出される温風ＨＡが例えば洗い場１０１ｂに存在する入浴者に直接当たらないように、温風ＨＡの風向をルーバ１０６により切り換えて制御する。そのため、間接的には浴室１０１内の温度変化を感知するものの、温風ＨＡを直接受ける場合と比較して入浴者が感知する温度変化が和らげられる。よって、入浴者に対して浴室１０１内の温度変化を極力感じないような湯水噴出空調装置１を提供できる。なお、ステップＳ３０で浴室１０１内の温度ｔが上限設定温度ｔ１以上になった場合に、ステップＳ４０でルーバ１０６の向きを浴槽１０１ａ側にすると共にステップＳ７０の浴室暖房回転を停止してステップＳ５０，６０を行わない制御をしても良い。
【００７９】
［第２の実施の形態］
以下、本発明の第２の実施の形態につき、図面を参照して説明する。本実施の形態では、上述した第１の実施の形態で説明した、浴室１０１の温度が上限設定温度以上になった場合に、温風ＨＡを入浴者とは異なる方向に向ける制御機能に加えて、さらに、ルーバ１０６やミストノズル１１の位置が予め設定された設定ボタン１４４をミスト操作部５が備えている。なお、その他の湯水噴出空調装置１の構成は、上述した第１の実施の形態と同一であるため、共通の構成要素には同一の符号を付し、詳細な説明は省略する。
【００８０】
図１６は、湯水噴出空調装置１の構成を示す図である。図１７は、浴室空調装置３およびミスト発生装置２の制御系の構成を示している。
【００８１】
湯水噴出空調装置１は、抗菌作用のある銀イオンを溶出する銀イオンユニット６８を有する。銀イオンユニット６８は、浴室１０１の天井裏面に配設され、給水配管１５ａに接続されると共に、電源部ユニット２Ｃの制御部２Ｂｃに接続されている。銀イオンユニット６８は、制御部２Ｂｃからの制御信号に基づいて、給水配管１５ａを流れる水に抗菌作用のある銀イオンを溶出し、この銀イオンが溶出された水をノズル配管１５ｂに供給する。
【００８２】
次に、ミスト発生装置２の記憶部１３０について説明する。図１８は記憶部１３０の記憶内容の構成の一例を示す図である。
【００８３】
記憶部１３０には、ミストノズル１１およびルーバ１０６のそれぞれの位置（傾き状態）が段階的に異ならせるように設定された複数の設定モードが、それぞれの運転モード毎に対応付けられて記憶されている。例えば、入浴ミストモードには設定１〜設定３が対応付けられており、設定１〜３のそれぞれにはルーバ１０６の位置およびミストノズル１１の位置を示す位置データが予め記憶される。設定１では、ルーバ１０６の位置が洗い場１０１ｂ側に向けられ、ミストノズル１１の位置も洗い場１０１ｂ側に向けられるように制御される。複数のユーザが利用する場合に設定１〜３に基づいて各人の好みにあったミストノズル１１とルーバ１０６の位置を記憶しておくことができる。
【００８４】
同様に、浴室洗浄モードの洗浄モードおよび乾燥モードのそれぞれには、設定１〜設定３が対応付けられ、設定１〜３のそれぞれにはルーバ１０６の位置およびミストノズル１１の位置を示す位置データが予め記憶される。設定１の洗浄モードでは、浴室空調装置３は停止させるためルーバ１０６は待機（初期）状態位置とされ、ミストノズル１１はスイングするように制御される。設定１の乾燥モードでは、ルーバ１０６がスイングされ、ミストノズル１１が待機状態位置とされるように制御される。
【００８５】
また、ミスト発生装置２の制御部２Ｂｃは、運転モード中において使用者（ユーザ）のミスト操作部５や主操作部６の操作により得られた、ミストノズル１１やルーバ１０６の位置データを記憶部１３０のそれぞれに対応した領域に書き込み、最新の位置データに更新する。これにより、次回の運転時には、前回の運転終了時のルーバ１０６やミストノズル１１の位置で運転が開始され、使用者の意思を反映させた学習機能を持たせることができる。
【００８６】
なお、設定モードの設定は、使用者がミスト操作部５や主操作部６から上述したような位置データを入力することにより行うこともできるし、施工時に予め複数の設定モードが入力されていても良い。また、設定モードは３パターンに限定されず、さらに複数の設定モードパターンを設けても良い。
【００８７】
図１９は、ミスト発生装置２のミスト操作部５の一例を示す構成図である。
ミスト操作部５は、入浴ミストモードの運転および運転停止を選択するためのミストボタン１４０と、浴室洗浄モードの運転および運転停止を選択するための浴室洗浄ボタン１４２とを備えている。これらのボタン１４０，１４２の近傍には、これらのボタン１４０，１４２に対応してそれぞれのモードの選択時に発光（点灯）制御されるＬＥＤ(Light Emitting Diode)等のランプ１４０ａ，１４２ａが設けられる。
【００８８】
また、ミスト操作部５は、入浴ミストモードおよび浴室洗浄モードのそれぞれを、予め設定した複数の設定モードで運転させるための設定ボタン１４４を備えている。本例では、後述するように設定モードは３段階（パターン）で構成され、設定ボタン１４４の近傍にはこれらの設定モードに対応したランプ１４４ａ，１４４ｂ，１４４ｃが設けられる。この場合、設定ボタンが１回押されると、運転モードの設定が設定１に切り換わると共に、ランプ１４４ａが点灯するように制御される。同様に、設定ボタンが連続して２回押されると、運転モードの設定が設定２に切り換わると共にランプ１４４ｂが点灯し、設定ボタンが連続して３階押されると、運転モードの設定が設定３に切り換わると共にランプ１４４ｃが点灯し、連続して４回押されると設定１に戻るように制御される。
【００８９】
また、ミスト操作部５は、入浴ミストモードまたは浴室洗浄モードの運転時に、ミストＭと共に銀イオンを噴霧させるための銀イオンボタン１４６と、ミスト発生装置２のミストノズル１１をスイング（回動）させるためのノズルスイングボタン１４８と、浴室空調装置３のルーバ１０６をスイングさせるためのルーバスイングボタン１５０とを備えている。本例では、ノズルおよびルーバスイングボタン１４８，１５０を押している間だけ、ミストノズル１１およびルーバ１０６が回動して傾きが変えられるように制御される。
【００９０】
銀イオンボタン１４６、ノズルスイングボタン１４８およびルーバスイングボタン１５０のそれぞれの近傍には、これらのボタン１４６，１４８，１５０に対応してそれぞれのモードの選択時に発光（点灯）制御されるＬＥＤ等のランプ１４６ａ，１４８ａ，１５０ａが設けられる。
【００９１】
次に、本発明の実施形態に係る湯水噴出空調装置１の動作について説明する。図２０は、湯水噴出空調装置１の動作例を示すフローチャートである。なお、以下の説明では、使用者により、湯水噴出空調装置１の電源がオンされ、浴室洗浄モードにおいて１回（初回）目の操作が行われる場合について説明する。
【００９２】
ステップＳ１００で、使用者によりミスト操作部５の設定ボタン１４４が押されると、浴室空調装置３の制御部８は押された回数をカウントし、押された回数に応じたランプ１４４ａ〜１４４ｃの何れかを点灯させる。本例では、例えば使用者により設定ボタン１４４が１回押されて設定１が選択され、設定１のランプ１４４ａが点灯する。
【００９３】
ステップＳ１１０で、使用者によりミスト操作部５の浴室洗浄ボタン１４２が押されると、ミスト発生装置２の制御部２Ｂｃは、ミスト操作部５のランプ１４２ａを点灯させる。
【００９４】
ステップＳ１２０で、ミスト発生装置２の制御部２Ｂｃは、ミスト操作部５からの操作信号に基づいて、電磁弁駆動部２Ｂｂを介して電磁弁ユニット２Ｂを制御して、ミストノズル１１からミストＭを浴室１０１内に噴出させる。また、銀イオンユニット６８に直流電圧を印加して銀イオンを給水配管１５ａを流れる温水に溶出させる。さらに、ミスト発生装置２の制御部２Ｂｃは、浴室洗浄モードの設定１に対応した位置データを記憶部１３０から読み出し、読み出した位置データに基づく制御を行う。設定１では、浴室空調装置３のルーバ１０６を停止させた状態で、ミスト発生装置２のミストノズル１１をスイングさせる。これにより、銀イオンを含むミストＭが浴室１０１内の全体に噴出される。
【００９５】
ステップＳ１３０で、使用者により主操作部６またはミスト操作部５のノズルスイングボタン７９，１４８が押されると、ミスト発生装置２の制御部２Ｂｃは、主操作部６またはミスト操作部５から供給される操作信号に基づいてミストノズル１１の状態（傾き方向）を変更する。本例では、ミストノズル１１をスイング状態から洗い場１０１ｂ（方向Ａ）に向くように制御する。
【００９６】
ステップＳ１４０で、ミスト発生装置２は、浴室洗浄モードの運転を開始してから所定時間、例えば５分経過したか否かを判断する。所定時間経過したと判断したときにはステップＳ１５０に進み、所定時間経過していないと判断したときには所定時間経過するまで時間をカウントする。
【００９７】
ステップＳ１５０でミスト発生装置２の制御部２Ｂｃは、浴室洗浄モードを停止する。具体的には、銀イオンユニット６８への直流電圧の印加を停止すると共に、ミストノズル１１への温水の供給を停止する。ミストノズル１１は洗い場１０１ｂ（方向Ａ）に向いた状態で停止される。
【００９８】
ステップＳ１６０で、浴室洗浄モードが終了すると、続けて浴室乾燥モードが開始される。浴室乾燥モードでは、浴室空調装置３の制御部８は、ファンモータ３６を駆動させてファン３５を回転させると共に、ダンパモータ４０ｃを駆動させてダンパ４０を循環換気位置Ｃ（図２（Ａ）参照）に回動させる。また、ファン３５の駆動により浴室空調装置３内の循環風路４３ａに前述のイオン発生器４４により正イオン及び負イオンである正負イオンを発生させる。さらに、浴室空調装置３の制御部８は、浴室洗浄モードの設定１に対応したデータを記憶部１３０から読み出し、読み出したデータに基づく制御を行う。設定１では、ミスト発生装置２のミストノズル１１を停止させた状態で、浴室空調装置３のルーバ１０６をスイングさせる。これにより、正負イオンを含む温風ＨＡが浴室１０１内の全体に吹き出されると共に、排気ダクト９（図１６参照）を介して外部に排出される。
【００９９】
ステップＳ１７０で、使用者により主操作部６またはミスト操作部５のルーバスイングボタン８７，１５０が押されると、ミスト発生装置２の制御部２Ｂｃは、主操作部６またはミスト操作部５から供給される操作信号に基づいてルーバ１０６の向きを変更する。本例では、ルーバ１０６をスイング状態から浴槽１０１ａ（方向Ｂ）側に向くように制御する。
【０１００】
ステップＳ１８０で、浴室空調装置３の制御部８は、浴室洗浄モードの運転が開始から所定時間、例えば３時間経過したか否かを判断する。所定時間経過したと判断したときにはステップＳ１９０に進み、所定時間経過していないと判断したときには所定時間経過するまで時間をカウントする。
【０１０１】
ステップＳ１９０で浴室空調装置３の制御部８は、浴室乾燥モードを停止する。具体的には、ファンモータ３６、ルーバ駆動モータ１１６の駆動をそれぞれ停止させ、正負イオンの駆動をオフにする。また、浴室空調装置３の制御部８は、ミスト発生装置２の制御部２Ｂｃにルーバ１０６の位置データを送信する。位置データは、ルーバ１０６の現在の状態（傾き方向）を示すデータであり、本例では浴槽１０１ａ側の方向Ｂである。ミスト発生装置２の制御部２Ｂｃは、浴室空調装置３から送信された位置データを記憶部１３０の対応した領域に書き込む（上書きする）。さらに、ミスト発生装置２のミストノズル１１の現在の状態（傾き方向）を示す位置データ、本例では洗い場１０１ｂ側の方向Ａを記憶部１３０の対応した領域に書き込む（上書きする）。これにより、浴室洗浄モードの設定１の内容が、洗浄モードではミストノズル１１の位置データが「スイング」から「方向Ａ」に変更され、乾燥モードではルーバ１０６の位置データが「スイング」から「方向Ｂ」に変更される。このようにして、浴室洗浄モードの一連の動作が終了する。
【０１０２】
続けて、上述した浴室洗浄モードの停止から所定時間（日数）が経過した後に、浴室洗浄モードの運転を行う場合の湯水噴出空調装置１の動作について説明する。図２１は、湯水噴出空調装置１の動作例を示すフローチャートである。なお、上述した図２０と同一の動作については説明を省略する。
【０１０３】
ステップＳ２００で、使用者によりミスト操作部５の設定ボタン１４４が押され、設定１が選択されると、これに対応するランプ１４４ａが点灯する。
【０１０４】
ステップＳ２１０で、使用者により浴室洗浄ボタン１４２が押されると、ミスト発生装置２の制御部２Ｂｃは、ミスト操作部５のランプ１４２ａを点灯させる。
【０１０５】
ステップＳ２２０で、ミスト発生装置２の制御部２Ｂｃは、ミスト操作部５からの操作信号に基づいて、浴室洗浄モードの設定１に対応した位置データを記憶部１３０から読み出し、読み出したデータに基づく制御を行う。位置データは、図２０のステップＳ１９０で「スイング」から「方向Ａ」に更新されており、制御部２Ｂｃではこの位置データに基づいてミストノズル１１を洗い場１０１ｂ（方向Ａ）側に傾けさせる。これにより、銀イオンを含むミストＭが浴室１０１内の洗い場１０１ｂ方向に噴出される。
【０１０６】
ステップＳ２３０では、使用者からの操作に基づいて、ミストノズル１１の状態を洗い場１０１ｂ（方向Ａ）側からスイング状態に変更するように制御する。
【０１０７】
ステップＳ２４０で、ミスト発生装置２は、洗浄モードの運転を開始してから所定時間、例えば５分経過したか否かを判断する。所定時間経過したと判断したときにはステップＳ２５０に進み、所定時間経過していないと判断したときには所定時間経過するまで時間をカウントする。
【０１０８】
ステップＳ２５０でミスト発生装置２の制御部２Ｂｃは、洗浄モードを停止する。
【０１０９】
ステップＳ２６０で、洗浄モードが終了すると、続けて乾燥モードが開始される。浴室空調装置３の制御部８は、浴室洗浄モードの設定１に対応した位置データを記憶部１３０から読み出し、読み出したデータに基づく制御を行う。位置データは、図２０のステップＳ１９０で「スイング」から「方向Ｂ」に更新されており、制御部２Ｂｃではこの位置データに基づいてルーバ１０６を浴槽１０１ａ（方向Ｂ）側に傾けさせる。これにより、正負イオンを含む温風ＨＡが浴室１０１内の浴槽１０１ａ（方向Ｂ）側に吹き出されると共に、排気ダクト９（図１６参照）を介して外部に排出される。
【０１１０】
ステップＳ２７０で、使用者からの操作に基づいて、ルーバ１０６の状態を浴槽１０１ａ（方向Ｂ）側からスイング状態に変更するように制御する。
【０１１１】
ステップＳ２８０で、浴室空調装置３の制御部８は、浴室洗浄モードの運転が開始から所定時間、例えば３時間経過したか否かを判断する。所定時間経過したと判断したときにはステップＳ２９０に進み、所定時間経過していないと判断したときには所定時間経過するまで時間をカウントする。
【０１１２】
ステップＳ２９０で浴室空調装置３の制御部８は、乾燥モードを停止する。また、ミスト発生装置２の制御部２Ｂｃは、浴室空調装置３から送信されたルーバ１０６の位置データである「スイング」を記憶部１３０の対応した領域に書き込む（上書きする）。さらに、ミスト発生装置２のミストノズル１１の位置データである「スイング」を記憶部１３０の対応した領域に書き込む（上書きする）。これにより、浴室洗浄モードの設定１の内容が、洗浄モードではミストノズル１１の位置データが「方向Ａ」から「スイング」に変更され、乾燥モードではルーバ１０６の位置データが「方向Ｂ」から「スイング」に変更される。このようにして、浴室洗浄モードの一連の動作が終了する。なお、浴室洗浄モード以外にも、入浴ミストモード、暖房モード、送風モード等にも適用することができる。
【０１１３】
以上説明したように、本実施の形態によれば、運転モード毎に、使用者の好みに合った複数の設定モードを予め設けるため、運転モード中に設定をする手間が省ける。さらに、学習機能により、次回の運転時には、前回の運転終了時のルーバ１０６やミストノズル１１の位置で運転が開始されるため、入浴の度にミストＭの噴出方向等を設定する必要がなく、設定する煩わしさを解消できる。
【０１１４】
なお、本発明の技術範囲は、上述した実施形態に限定されるものではなく、本発明の趣旨を逸脱しない範囲において、上述した実施形態に種々の変更を加えたものを含む。
【図面の簡単な説明】
【０１１５】
【図１】本発明の一実施形態に係る湯水噴出空調装置の構成を示す図である。
【図２】湯水噴出空調装置の構成を示す図である。
【図３】湯水噴出空調装置の構成を示す分解斜視図である。
【図４】ルーバの接続部を示す部分拡大図である。
【図５】ノズルユニットの構成を示す図である。
【図６】電磁弁ユニットの構成を示す図である。
【図７】電磁弁ユニットの動作を示す図である（その１）。
【図８】電磁弁ユニットの動作を示す図である（その２）。
【図９】ミスト操作部の構成例を示す図である。
【図１０】主操作部の構成例を示す図である。
【図１１】湯水噴出空調装置の制御系の一例を示す機能ブロック図である。
【図１２】湯水噴出空調装置の動作例を示すフローチャートである。
【図１３】ルーバの動作を示す図である。
【図１４】浴室内に吹き出される温風の状態を示す図である（その１）。
【図１５】浴室内に吹き出される温風の状態を示す図である（その２）。
【図１６】本発明の他の実施形態に係る湯水噴出空調装置の構成を示す図である。
【図１７】湯水噴出空調装置の制御系の一例を示す機能ブロック図である。
【図１８】記憶部に記憶される位置データの構成例を示す図である。
【図１９】ミスト操作部の構成例を示す図である。
【図２０】湯水噴出空調装置の動作例を示すフローチャートである。
【図２１】湯水噴出空調装置の動作例を示すフローチャートである。
【符号の説明】
【０１１６】
１…湯水噴出空調装置、  ２…ミスト発生装置、  ２Ａ…ノズルユニット、  ２Ｃ…電源部ユニット、  ３…浴室空調装置、  ５…ミスト操作部、  ６…主操作部、  ８…制御部、  １１…ミストノズル、  ３１…温度検出センサ、  １０１…浴室、  １０１ａ…浴槽、  １０１ｂ…洗い場、  １００…ノズル駆動モータ、  １１６…ルーバ駆動モータ、  １３０…記憶部、  １４０…ミストボタン、  １４４…設定ボタン、
【図１】
2009008278.tif 000003
【図２】
2009008278.tif 000004
【図３】
2009008278.tif 000005
【図４】
2009008278.tif 000006
【図５】
2009008278.tif 000007
【図６】
2009008278.tif 000008
【図７】
2009008278.tif 000009
【図８】
2009008278.tif 000010
【図９】
2009008278.tif 000011
【図１０】
2009008278.tif 000012
【図１１】
2009008278.tif 000013
【図１２】
2009008278.tif 000014
【図１３】
2009008278.tif 000015
【図１４】
2009008278.tif 000016
【図１５】
2009008278.tif 000017
【図１６】
2009008278.tif 000018
【図１７】
2009008278.tif 000019
【図１８】
2009008278.tif 000020
【図１９】
2009008278.tif 000021
【図２０】
2009008278.tif 000022
【図２１】
2009008278.tif 000023